(57)【特許請求の範囲】
【請求項１】
筐体内の電源部からの電源コードを前記筐体の外部に取り出すようにした遊技機において、前記電源部を収容する電源ボックスと、前記電源ボックスの裏側に引き出された前記電源コードを収納するコード収納ボックスとを備え、前記電源ボックスと該電源ボックスの後端の開口を裏側から塞ぐ前記コード収納ボックスとを前後方向に着脱自在に結合することによって１つのボックスとして前記筐体の側壁の近傍で底壁上に配置し、前記コード収納ボックス内の前記電源コードを前記筐体の外部に出し入れ自在に取り出すための開口部を前記筐体に設け、前記コード収納ボックスの前記開口部側を塞ぐための開閉扉を前記筐体の外部から開閉可能に設けたことを特徴とする遊技機。
【請求項２】
前記開閉扉に前記電源コードを引き出すための切り欠き部を設けたことを特徴とする請求項１に記載の遊技機。
【請求項３】
前記コード収納部内に、前記電源コードを纏めた状態で保持するためのコード収納補助手段を備えたことを特徴とする請求項１又は２に記載の遊技機。
【請求項４】
電源ボックスから後方に突出する連結板を介して前記コード収納ボックスを前記電源ボックスに連結したことを特徴とする請求項１〜３の何れかに記載の遊技機。
【請求項５】
前記コード収納部の後端の開口縁が前記開口部に嵌合し、該コード収納部の後端に前記開閉扉を設けたことを特徴とする請求項３に記載の遊技機。
【発明の詳細な説明】
【技術分野】
【０００１】
本発明は、スロットマシン等の遊技機に関し、電源コードが邪魔にならず組み立て、搬送、設置等の作業を容易に行えるようにしたものである。
【背景技術】
【０００２】
スロットマシン等の遊技機は、筐体と、この筐体の前側に開閉自在に装着された前面パネルとを備え、筐体内に左右方向に複数の図柄表示リールを有する表示リールユニットと、メダルを貯留する主タンクと、入賞時に主タンク内のメダルを規定数ずつ払い出す払い出し手段と、遊技動作を制御する主制御基板と、各部に電源を供給する電源部とを備え、前面パネルに表示リールユニットに対応する表示窓を設けると共に、この表示窓の下側にスタートレバー、ストップボタン、メダル投入口等を有する操作パネルを配置し、これらの周辺その他に遊技状態を演出する電飾手段を配置している。
【０００３】
遊技に際してメダル投入口にメダルを投入してスタートレバーを操作すると、表示リールユニットの各図柄表示リールが回転する。そして、ストップボタンを押すと、各ストップボタンに対応する図柄表示リールが順次停止し、その各図柄表示リールに表示された遊技図柄が揃う等により入賞役が成立すると、その入賞に応じて払い出し手段が規定数のメダルを払い出す。
【０００４】
この種のスロットマシンはＡＣ２４Ｖで作動し、島設備等に設置する場合には、電源部に接続された電源コードを筐体の外側に取り出して、その電源プラグを島設備側の電源コンセントに接続するようになっている。しかし、電源コードは一般に２〜３ｍの長さがあるため、電源コードが筐体の外部に出たままであれば、その電源コードが邪魔になる。
【０００５】
そこで、従来は後壁のコード取り出し口から離れた位置に開口部を形成し、その開口部に対応して後壁の内面にボックス状のコード収納部を設けて、コード取り出し口から筐体の裏側に取り出された電源コードを、その先端の電源プラグ側から巻いた状態でコード収納部内に収納するようにしている（特許文献１）。
【特許文献１】特開２００６−３３４０６５号公報（特に図１５参照）
【発明の開示】
【発明が解決しようとする課題】
【０００６】
しかし、従来は筐体の外部に取り出された電源コードを電源プラグ側から巻いた状態でコード収納部内に収納しているため、次のような問題がある。即ち、組み立て工程において電源部を筐体内に固定する場合には、電源コードを後壁のコード取り出し口から筐体内へと挿入して、その電源コードを筐体内で電源部に接続した後、電源部を筐体の所定位置に固定する。そして、電源コードの筐体から裏側に出た部分を電源プラグ側から順次巻いてコード収納部内に収納する。このため電源部を筐体に組み立てる際の作業が非常に煩雑になる欠点がある。
【０００７】
またコード収納部内に電源コードを収納したとしても、それは電源コードの一部であって、コード取り出し口と開口部との間では電源コードが依然として筐体の裏側に露出したままとなる。このため筐体をパッキングケース等で梱包して搬送する際、又は遊技店で筐体を島設備に設置する際に、何等かのものが電源コードの露出部分に接触したり引っ掛かったりすれば、電源コードがコード収納部から引き出されてしまう惧れがある。従って、電源コードと接触しないように搬送、設置等の作業を慎重に行う必要があり、組み立て後の各作業を能率的に行う上でも問題がある。
【０００８】
本発明は、このような問題点に鑑み、筐体内に対する電源部の組み立て作業を容易に行うことができると共に、組み立て後においても接触により電源コードを引き出す等の惧れがなく、搬送、設置等の各作業を容易に行うことができる遊技機を提供することを目的とする。
【課題を解決するための手段】
【０００９】
本発明は、筐体内の電源部からの電源コードを前記筐体の外部に取り出すようにした遊技機において、前記電源部を収容する電源ボックスと、前記電源ボックスの裏側に引き出された前記電源コードを収納するコード収納ボックスとを備え、前記電源ボックスと該電源ボックスの後端の開口を裏側から塞ぐ前記コード収納ボックスとを前後方向に着脱自在に結合することによって１つのボックスとして前記筐体の側壁の近傍で底壁上に配置し、前記コード収納ボックス内の前記電源コードを前記筐体の外部に出し入れ自在に取り出すための開口部を前記筐体に設け、前記コード収納ボックスの前記開口部側を塞ぐための開閉扉を前記筐体の外部から開閉可能に設けたものである。
【発明の効果】
【００１０】
本発明によれば、筐体内に対する電源部の組み立て作業を容易に行うことができると共に、組み立て後においても接触により電源コードを引き出す等の惧れがなく、搬送、設置等の各作業を容易に行うことができる利点がある。
【発明を実施するための最良の形態】
【００１１】
以下、本発明の各実施例を図面に基づいて詳述する。図１〜図１０は本発明をスロットマシンとして具現化した第１の実施例を例示する。図１及び図２において、１はスロットマシンで、裏閉塞型の筐体２と、この筐体２の前側に開閉自在に配置された矩形状の前面パネル３とを備えている。
【００１２】
筐体２は前側が開放する箱形であって、左右一対の側壁４と、この側壁４の上下両端を左右に連結する上壁５及び底壁６と、これらの裏側を塞ぐ後壁７とを備えており、この筐体２の前側を閉鎖するように、前面パネル３がヒンジ手段（図示省略）を介して一方の側壁４に開閉自在に枢着されている。
【００１３】
筐体２内には図２に示すように、複数の図柄表示リール８ａ〜８ｃを左右方向に配列した表示リールユニット９と、遊技に供するメダルを貯留する主タンク１０と、主タンク１０内のメダルを払い出す払い出し手段１８と、主タンク１０からオーバーフローしたメダルを貯留する補助タンク１１と、各部に電源を供給する電源部１２が収容された電源ボックス１３と、電源部１２に接続された電源コード１４を収納するコード収納部１５（図３、図４参照）と、各主制御基板１６が収容された主制御基板ケース１７とが配置されている。
【００１４】
表示リールユニット９は筐体２の上下方向の略中央で左右の側壁４間に支架された支持板１８ａ上に着脱自在に装着されている。支持板１８の下側で底壁６上には主タンク１０、払い出し手段１８、補助タンク１１が配置され、また表示リールユニット９の上側には主制御基板ケース１７が配置されている。主制御基板１６はスロットマシン１全体の遊技動作を制御するものである。
【００１５】
主タンク１０は上側が開口するホッパー状であって、遊技に供すべく投入されたメダルを受け入れて貯留し、またメダルが満杯状態のときには、投入された後続のメダルをオーバーフロー口から補助タンク１１へとオーバーフローさせるようになっている。
【００１６】
払い出し手段１８は大当たり等の入賞時に主タンク１０内のメダルを規定数ずつ払い出すためのもので、主タンク１０の下側で筐体２の底壁６上に配置されている。電源ボックス１３、コード収納部１５は払い出し手段１８の一方側（ヒンジ手段側）で、補助タンク１１は他方側で各側壁４に近接して底壁６上に夫々配置されている。
【００１７】
前面パネル３の上部には図１に示すように第１表示窓１９と第２表示窓２０とが上下に配置され、この両表示窓１９，２０の左右両側に遊技状態を視覚的に演出する電飾手段２１，２２が縦長状に配置されている。第１表示窓１９は前面パネル３の裏側に装着された液晶式等の画像表示手段２３に対応して形成され、遊技者はこの第１表示窓１９を介して画像表示手段２３の演出画像を前側から視認可能となっている。第２表示窓２０は筐体２側に装着された図柄表示リール８ａ〜８ｃの前側に対応して矩形状に形成され、遊技者はこの第２表示窓２０を介して図柄表示リール８ａ〜８ｃ上の遊技図柄を前側から視認可能となっている。
【００１８】
前面パネル３の前側下部には、払い出し手段１８から払い出されたメダルや返却されたメダルを前側に排出するための排出口２４が設けられ、その前側に排出口２４から排出されたメダルを受ける受け皿２５が横長状に配置されている。
【００１９】
また前面パネル３の上下方向の略中央部には、第２表示窓２０の下側に沿って横長状に操作パネル部２６が設けられ、この操作パネル部２６にメダルを投入可能なメダル投入口２７、メダル投入口２７内に詰まったメダルを返却させるための返却ボタン２８の他、メダル投入口２７へのメダルの投入に代えてクレジットからメダルをベットするための１ベットボタン２９及びマックスベットボタン３０、ベットをキャンセルするためのキャンセルボタン３１、図柄表示リール８ａ〜８ｃの回転を開始させるためのスタートレバー３２、回転中の図柄表示リール８ａ〜８ｃを夫々個別に停止させるためのストップボタン３３ａ〜３３ｃ等が設けられている。なお、メダル投入口２７から投入されたメダルは、前面パネル３の裏側の選別手段、シュート（共に図示省略）等を経て主タンク１０内に落下するようになっている。
【００２０】
電源ボックス１３は図３〜図８に示すように左右幅よりも上下方向の高さ、前後方向の奥行きが大きい箱状であり、またコード収納ボックス３５は電源ボックス１３と略同幅、略同高さの縦長状である。そして、電源ボックス１３とコード収納ボックス３５は、電源ボックス１３を前側としコード収納ボックス３５を裏側として、前後方向に一体に結合されて側壁４の近傍で底壁６上に配置されている。
【００２１】
電源ボックス１３内には図３、図４に示すように電源部１２を構成する電源基板４０が設けられ、また電源ボックス１３の前面の前壁板３８に電源スイッチ３９が設けられている。電源ボックス１３は図外のネジ等の固定具により筐体２の底壁６及び／又は側壁４に固定されている。電源基板４０は左右２枚あり、その各電源基板４０は電源ボックス１３の左右両側の側壁板６２にスペーサ４１等を介して装着されている。各電源基板４０の端部に放熱フィン４２が設けられている。また電源基板４０は１枚でもよいし、２枚以上の複数枚でもよい。
【００２２】
電源ボックス１３は後端側の開口４３がコード収納ボックス３５の前壁板４４により塞がれており、上下両側から後方に突出する一対の連結板４５を介してコード収納ボックス３５と連結されている。上下一対の連結板４５は上下拡開する方向に弾性力を有し、この連結板４５をコード収納ボックス３５の上壁板４７、下壁板４８に沿って前壁板４４の上下両端に左右方向に形成された連結孔４９に挿入することにより、電源ボックス１３とコード収納ボックス３５とが着脱自在に連結されている。なお、電源ボックス１３、コード収納ボックス３５は他の連結手段により一体に連結してもよい。
【００２３】
コード収納部１５は図３、図４、図６、図８等に示すようにコード収納ボックス３５によって構成され、このコード収納ボックス３５は電源ボックス１３の裏側に設けられ、また筐体２の後壁７にはコード収納ボックス３５内の電源コード１４をその後端の開口３６を経て筐体２の裏側に取り出すための開口部３７が設けられている。
【００２４】
コード収納ボックス３５は裏側の開口３６を開閉する開閉扉５２を有し、その内部には電源コード１４を巻いた状態で掛ける等、電源コード１４を纏めた状態で保持可能なコード収納補助手段５３と、その電源コード１４の電源プラグ５７を着脱自在に固定するプラグ固定手段５４とが設けられると共に、開閉扉５２に給電ヘッド５５挿入用の給電口５６が設けられている。
【００２５】
コード収納ボックス３５の前壁板４４には上下の連結孔４９の他に、下部側にコード接続口５８が、上下方向の略中央部等の中間部分から後方に突出するコード収納補助手段５３が、またプラグ固定手段５４の上部に対応して後方に突出する担持部５９が夫々設けられている。
【００２６】
電源コード１４の基部側のコネクタ６０はコード接続口５８を介して電源ボックス１３側のコネクタ６１に着脱自在に接続されている。コネクタ６１は電源ボックス１３の一方の側壁板６２の後端から内側に屈曲する取り付け部６３に固定されている。
【００２７】
コード収納ボックス３５は後端側の開口縁６４が後壁７の開口部３７の前部に嵌合されている。開閉扉５２は開口部３７を経て筐体２の外部、取り分け裏側から開閉操作可能であり、左右方向の一端側が上下一対のヒンジ手段６６により縦軸心廻りに開閉自在に枢支されると共に、他端側が施錠手段６７により閉状態でコード収納ボックス３５に施錠されている。
【００２８】
開閉扉５２は閉状態では後壁７の裏側に突出しないように開口部３７内に収まり、コード収納ボックス３５の開口縁６４の後端に当接している。なお、開閉扉５２は閉状態のときにコネクタ収納ボックス３５の開口縁６４内に嵌合して、その前側のストッパーに当接するようにしてもよい。
【００２９】
施錠手段６７は上下方向の略中央に配置され、コード収納ボックス３５の一方の側壁板６８に設けられた係合部６９と、開閉扉５２に弾性変形可能に設けられ且つ係合部６９に係脱自在に係合する施錠爪７０と、この施錠爪７０を係脱操作する操作部７１とを備えている。施錠爪７０は前側に突出する平面視Ｖ字状に屈曲し、操作部７１はその施錠爪７０の先端から裏側に突出している。なお、施錠爪７０は開閉扉５２をヒンジ手段６６廻りにコード収納ボックス３５側へと回動したときに弾性変形して開閉扉５２が閉じた状態で係合部６９に係合し、またその施錠を解除するときには、操作部７１をヒンジ手段６６側に操作すると係合部６９から離脱する。
【００３０】
コード収納補助手段５３はコード収納ボックス３５の前壁板４４から裏側に突出する掛け部７２と、この掛け部７２の後端側に設けられた外れ止め部７３とを有し、電源コード１４を巻いた状態で掛け部７２に掛けるようになっている。掛け部７２は上下方向に長い縦板状に形成され、その前端側には前壁板４４との間に補強リブ７４が、後端側には左右一側に突出する略三角板状の外れ止め部７３が夫々上下方向に複数設けられている。外れ止め部７３と補強リブ７４は外れ止め部７３をヒンジ手段６６側にして掛け部７２の反対側に配置されている。補強リブ７４は掛け部７２と前壁板４４とに跨がって三角形状に設けられている。
【００３１】
なお、掛け部７２に電源コード１４を掛ける場合には、電源コード１４を予め巻いた状態で掛け部７２に掛けるか、又は電源コード１４を掛け部７２に掛けながら順次巻いて行ってもよい。掛け部７２は板状以外の形状でもよい。
【００３２】
コード固定手段５４は開閉扉５２の内面に設けられており、その一対の端子７５側を上向きにして電源プラグ５７を着脱自在に固定するようになっている。電源プラグ５７はコード固定手段５４に保持された状態では一対の端子７５が開閉扉５２の給電口５６に対応して左右に並んでいる。コード固定手段５４は電源プラグ５７を上側から挿脱自在に保持する保持部７６を有し、一対の取り付け部７６ａを介して開閉扉５２の内面に固定されている。保持部７６は上側が広がるテーパー状であって、下端に保持部７６内の電源プラグ５７を受ける受け部７６ａが設けられ、また開閉扉５２と反対側に電源コード１４を通すための上下方向のスリット部７９が形成されている。
【００３３】
給電口５６は組み立て後のスロットマシン１を検査するときに、図３、図４、図１０に示すようにその裏側から給電ヘッド５５を挿入するためのものであって、コード固定手段５４に固定された電源プラグ５７の一対の端子７５に対応して開閉扉５２に設けられており、検査時にはこの給電口５６から給電ヘッド５５の給電端子７７を挿入して電源プラグ５７の一対の端子７５に電源を供給するようになっている。担持部５９は側壁板６８を補強する補強リブ兼用であって、開閉扉５２を閉じたときにプラグ固定手段５４の上端側等の適当箇所に当接又は近接して、給電ヘッド５５の給電端子７７を電源プラグ５７の端子７５に接続する際に加わる荷重を受けるようになっている。
【００３４】
開閉扉５２には給電口５６の他に電源コード１４を裏側に引き出すための切り欠き部７８が形成されている。この切り欠き部７８は開閉扉５２を閉じたときに電源コード１４を圧迫しない程度の大きさであて、コネクタ６０と前後に対応して開閉扉５２の下隅部に形成されている。なお、切り欠き部７８はヒンジ手段６６と反対側に配置するのが望ましいが、開閉扉５２のヒンジ手段６６に近い下隅部に配置してもよいし、上下のヒンジ手段６６間以外であればその他の部分に配置してもよい。
【００３５】
給電ヘッド５５は図９に示すように検査ライン８０上の検査位置Ａでその側方近傍に配置されており、給電位置Ｂと退避位置Ｃとの間で縦軸８１廻りに回動する支持部材８２により支持されている。なお、給電ヘッド５５は給電対象であるスロットマシン１の電源プラグ５７に対して進退自在であればよく、給電位置Ｂと退避位置Ｃとの間で直線運動するようにしてもよい。
【００３６】
このような構成のスロットマシン１では、筐体２内に電源ボックス１３等を固定する場合には、次のように行う。先ず電源ボックス１３の裏側にコネクタ収納ボックス３５を取り付けた後、開閉扉５２を開けて電源コード１４のコネクタ６０を電源ボックス１３の後端側のコネクタ６１に接続する。
【００３７】
次に電源コード１４をコード収納補助手段５３の掛け部７２に巻いた状態で掛ける。このとき電源コード１４を掛け部７２に掛けながら順次巻いてもよいし、巻いた後に掛け部７２に掛けてもよい。そして、電源コード１４の電源プラグ５７をプラグ固定手段５４の保持部７６に上側から挿入して固定し、開閉扉５２を閉じて施錠手段６７により閉状態で施錠すれば、電源コード１４をコード収納ボックス３５内に確実に収納することができる。
【００３８】
次にコード収納ボックス３５と一体化された電源ボックス１３を筐体２内の底壁６上で一方の側壁４に近接させて配置し、コード収納ボックス３５の後端側の開口縁６４を後壁７の開口部３７内に嵌合させた後、その状態で電源ボックス１３を適宜固定手段により筐体２側に固定する。これで筐体２に対する電源ボックス１３の組み立てが完了するが、電源コード１４はコード収納ボックス３５内に収納された状態にあるので、組み立て時に長尺の電源コード１４が邪魔になるようなことがなく、組み立て作業を容易に能率的に行うことができる。
【００３９】
組み立て後のスロットマシン１は、図９に示すように検査ライン８０に移送して検査位置Ａへと搬送し、その検査位置Ａで停止させる。そして、スロットマシン１が停止すると、給電ヘッド５５を縦軸８１廻りに給電位置Ｂへと回動させて、図１０に示すようにその給電端子７７を開閉扉５２の給電口５６から挿入して、プラグ固定手段５４により固定状に保持された電源プラグ５７の端子７５に接続し、この給電ヘッド５５側から電源プラグ５７を経て電源部１２の電源基板４０側へと給電しながら検査を行う。
【００４０】
従って、電源プラグ５７が筐体２内のプラグ固定手段５４により固定され、その一対の端子７５が給電口５６に対応して左右に並んでいるので、給電口５６から給電ヘッド５５を挿入してその給電端子７７を電源プラグ５７に接続でき、電源プラグ５７を介して給電することができる。またプラグ固定手段５４が筐体２内にあり、電源コード１４がコード収納補助手段５３により保持された状態で筐体２内のコード収納ボックス３５に収納されているので、プラグ固定手段５４、電源コード１４が他の作業の邪魔になるようなこともない。
【００４１】
しかもプラグ固定手段５４は開閉扉５２に固定しているが、その保持部７６の上端部に対応してコード収納ボックス３５側に担持部５９があり、プラグ固定手段５４に加わる荷重をこの担持部５９で受けるので、開閉扉５２に必要以上の荷重がかかることはない。
【００４２】
物流段階ではスロットマシン１をパッキングケース等に入れて搬送し、また遊技店ではスロットマシン１をパッキングケース等から取り出して島設備に設置する。これらの各作業においても、電源コード１４はコード収納ボックス３５内に収納された状態で開閉扉５２が閉じているため、誤って接触して電源コード１４を引き出す等の惧れがなく各作業を容易に行うことができる。
【００４３】
電源コード１４を取り出す場合には、施錠手段６７の操作部７１を操作して施錠片を弾性変形させて係合部６９から外し、施錠手段６７による開閉扉５２の施錠を解除した後、開閉扉５２をヒンジ手段６６廻りに開放する。そして、開閉扉５２のプラグ固定手段５４に固定された電源プラグ５７を外した後、巻いた状態でコード収納補助手段５３に掛けられている電源コード１４を外してコード収納ボックス３５外へと取り出し、開閉扉５２の切り欠き部７８を電源コード１４が通るように開閉扉５２を閉じて施錠する。このため電源コード１４の取り出しも容易に行うことができる。
【００４４】
コード収納ボックス３５内の電源コード１４はコード収納補助手段５３の掛け部７２に巻いた状態で掛けられており、その状態で掛け部７２から垂れ下がっているので、電源コード１４が長尺の場合でも整然と収納することができる。また電源コード１４を巻いた状態で掛け部７２に掛けているが、掛け部７２の後端側に外れ止め部７３があるため、その外れ止め部７３により電源コード１４の掛け部７２からの脱落を防止できる。更に電源コード１４の電源プラグ５７をプラグ固定手段５４により固定しているため、搬送時のプラグの揺れ等によって電源コード１４が掛け部７２から脱落するような惧れもない。
【００４５】
図１１は本発明の第２の実施例を例示する。この実施例では、コード収納ボックス３５内のコード収納補助手段５３はフック等の掛け部７２を有し、その掛け部７２が取り付け部８５を介してコード収納ボックス３５の上壁板４７の下面に固定されている。また開閉扉５２には第１の実施例の給電口５６、コード固定手段５４は設けられておらず、給電口５６に対応する部分は塞がった状態である。なお、他の構成は第１の実施例と同じである。
【００４６】
このように掛け部７２をコード収納ボックス３５の上壁板４７の下側に設けることも可能である。この場合には掛け部７２とコード収納ボックス３５の下壁板４８との間の距離を十分に取ることができるため、長尺の電源コード１４でも少ない巻き数で掛けることが可能である。
【００４７】
また検査時に電源コード１５をコード収納ボックス３５から取り出して検査位置Ａ側に配置された電源コンセントに接続する場合には、第１の実施例の給電口５６、コード固定手段５４を省略することができる。この場合、電源プラグ５７はコード収納ボックス３５の下壁板４６上に置いてもよいし、掛け部７２に掛けられた電源コード１４の下にぶら下げたままでもよい。
【００４８】
図１２は本発明の第３の実施例を例示する。この実施例では、コード収納ボックス３５の後端側の開口３６を開閉する開閉扉５２は、コード収納ボックス３５から分離して筐体２の開口部３７側に設けられている。筐体２の後壁７には、その開口部３７に嵌合する扉支持枠８７が設けられ、この扉支持枠８７にヒンジ手段６６、施錠手段６７を介して開閉扉５２が装着されている。他の構成は第１の実施例と同じである。
【００４９】
このように開閉扉５２を筐体２の後壁７に設けて、この開閉扉５２によりコード収納ボックス３５の開口３６を裏側から塞ぐことが可能である。また開閉扉５２にコード固定手段５４、給電口５６を設けておけば、第１の実施例と同様に給電ヘッド５５から電源プラグ５７への給電も可能である。なお、この実施例では、コード収納ボックス３５の後端の開口縁６４は開口部３７に嵌合しているが、開口部３７に嵌合せずに後壁７の前側に当接又は近接するようにしてもよい。。
【００５０】
図１３は本発明の第４の実施例を例示する。この実施例では、筐体２の後壁７と電源ボックス１３との間に所定の間隔があり、その両者の間がコード収納部１５を構成するコード収納空間８８となっている。そして、このコード収納空間８８側に突出するように電源ボックス１３側にコード収納補助手段５３が設けられている。コード収納補助手段５３は棒状等の掛け部７２と、その先端側の外れ止め部７３とを備え、その掛け部７２に電源コード１４を巻いた状態で掛けるようになっている。
【００５１】
この実施例のようにコード収納部１５は、コード収納補助手段５３が収まる程度の空間を確保することによって構成してもよい。なお、開閉扉５２は第３の実施例と同様に開口部３７を開閉するように筐体２側に設けられているが、この開閉扉５２にはプラグ固定手段５４、給電口５６等はない。
【００５２】
図１４は本発明の第５の実施例を例示する。この実施例は、第４の実施例の開閉扉５２、扉支持枠８７等を省略して、筐体２の後壁７の裏面よりも前側で開口部３７に対応するコード固定手段５４を配置している。コード固定手段５４は支持部材８９を介して後壁７の内面等で筐体２に固定されている。このように第１〜第４の実施例における開閉扉５２を省略することも可能である。なお、開口部３７は給電口５６を兼用している。
【００５３】
以上、本発明の各実施例について詳述したが、本発明はこの各実施例に限定されるものではなく、本発明の趣旨を逸脱しない範囲で種々の変更が可能である。例えば、実施例では、筐体２の裏側に開口部３７を配置し、電源コード１４を筐体２の裏側へと取り出す場合について説明したが、開口部３７を筐体２の側壁４に配置して、電源コード１４をその開口部３７から筐体２の側面側へと取り出すようにしてもよい。
【００５４】
また筐体２内に配置される電源部１２は、電源ボックス１３内に収納して設置するのが一般的であるが、電源ボックス１３は省略してもよい。コード収納部１５はコード収納ボックス３５又はこれに類似のコード収納ケース等を使用する場合には、これらを電源ボックス１３と一体に移動可能に結合すればよいが、空間を利用してコード収納部１５を構成する場合には、そのコード収納補助手段５３を電源部１２側に一体に結合すれば十分である。
【００５５】
コード収納補助手段５３は電源コード１４を適宜纏めた状態で固定できるものであればよく、例えば電源コード１４をジグザグ状に折って紐等で縛った後、その電源コード１４を電源部１２と一体に移動可能に収納する場合には、電源部１２側に突起を設けることによっても構成できる。
【００５６】
またコード収納ボックス３５の下壁板４８上に電源コード１４を纏めて載せる場合には、コード収納補助手段５３は省略してもよい。要するにコード収納部１５は電源部１３を筐体２に組み付ける際に、電源コード１４を収納した状態で電源部１３と一体に移動可能に結合されておれば十分である。その他、実施例ではメダルを使用するスロットマシンについて例示したが、遊技球を使用するパチンコ機等の弾球遊技機でもよい。
【図面の簡単な説明】
【００５７】
【図１】本発明の第１の実施例を示すスロットマシンの全体斜視図である。
【図２】同筐体側の正面図である。
【図３】同要部の側面断面図である。
【図４】同要部の平面断面図である。
【図５】同筐体側の背面図である。
【図６】同コード収納ボックスの背面図である。
【図７】同電源ボックスとコード収納ボックスとの結合状態の斜視図である。
【図８】同コード収納ボックスの開閉板を開いた状態の斜視図である。
【図９】同検査工程の説明図である。
【図１０】同給電状態の説明図である。
【図１１】本発明の第２の実施例を示す要部の断面図である。
【図１２】本発明の第３の実施例を示す要部の断面図である。
【図１３】本発明の第４の実施例を示す要部の断面図である。
【図１４】本発明の第５の実施例を示す要部の断面図である。
【符号の説明】
【００５８】
２  筐体
１２  電源部
１３  電源ボックス
１４  電源コード
１５  コード収納部
３７  開口部
４０  電源基板
５２  開閉扉
５３  コード収納補助手段
６４  開口縁
７８  切り欠き部
【図１】
0004809865.tif 000002
【図２】
0004809865.tif 000003
【図３】
0004809865.tif 000004
【図４】
0004809865.tif 000005
【図５】
0004809865.tif 000006
【図６】
0004809865.tif 000007
【図７】
0004809865.tif 000008
【図８】
0004809865.tif 000009
【図９】
0004809865.tif 000010
【図１０】
0004809865.tif 000011
【図１１】
0004809865.tif 000012
【図１２】
0004809865.tif 000013
【図１３】
0004809865.tif 000014
【図１４】
0004809865.tif 000015